【手続補正書】
【提出日】平成16年8月30日(2004.8.30)
【手続補正１】
【補正対象書類名】明細書
【補正対象項目名】特許請求の範囲
【補正方法】変更
【補正の内容】
【特許請求の範囲】
【請求項１】
上位装置に接続され、第１の記憶装置内に領域１と領域２とに分割された第１の論理記憶装置及び第２の記憶装置内に領域１と領域２とに分割された第２の論理記憶装置を備え、前記上位装置からの指示で前記第1の論理記憶装置のデータを前記第２の論理記憶装置のデータに複写するディスクサブシステムのデータ複写方法であって、
前記第１の論理記憶装置のデータの複写先として前記第２の論理記憶装置を指定すると共に、該第１の論理記憶装置の領域２と該第２の論理記憶装置の領域２とを入れ替え、前記第１の記憶装置内の領域１及び領域２から前記第２の記憶装置内の領域１及び領域２へデータを複写することを特徴とするデータ複写方法。
【請求項２】
上位装置に接続され、第１の記憶装置内に領域１と領域２とに分割された第１の論理記憶装置及び第２の記憶装置内に領域１と領域２とに分割された第２の論理記憶装置を備え、前記上位装置からの指示で前記第1の論理記憶装置のデータを前記第２の論理記憶装置のデータに複写するディスクサブシステムのデータ複写方法であって、
複写元と複写先とを指定する第１のコマンドに基づいて前記第１の論理記憶装置のデータの複写先として前記第２の論理記憶装置を指定し、
該第１の論理記憶装置の領域２と該第２の論理記憶装置の領域２とを入れ替え、
データの複写の作成を指示する第２のコマンドに基づいて前記第１の記憶装置内のデータを前記第２の記憶装置内に複写することを特徴とするデータ複写方法。
【請求項３】
請求項２記載のデータ複写方法において、
前記第１のコマンドは、前記第１の論理記憶装置と前記第２の論理記憶装置とで複製作成のためのペアを組むペア作成コマンドであって、該第１の論理記憶装置が正論理記憶装置、該第２の論理記憶装置が副論理記憶装置となることを特徴とするデータ複写方法。
【請求項４】
請求項２記載のデータ複写方法において、
前記第２のコマンドは、該第２のコマンドを受け取った時点での前記第１の論理記憶装置のデータを前記第２の論理記憶装置に複写する複製作成コマンドであることを特徴とするデータ複写方法。
【請求項５】
請求項２記載のデータ複写方法において、
前記第１の論理記憶装置の領域２と前記第２の論理記憶装置の領域２とを入れ替えた後、前記第２のコマンドを受け取る前に、前記第１の記憶装置内のデータを前記第２の記憶装置内に複写することを特徴とするデータ複写方法。
【請求項６】
請求項２または請求項４記載のデータ複写方法において、
複写中の論理記憶装置に対してライト又はリードコマンド処理を行なう場合は、該コマンド処理の対象位置が、前記第１の論理記憶装置の領域２と前記第２の論理記憶装置の領域２との入れ替えが終わった位置であるかどうか判定し、入れ替えが終わっていない場合は、前記第１の論理記憶装置の領域１の属する前記記憶装置に対して該コマンド処理を行い、入れ替えが終わっている場合は、前記第１の論理記憶装置に対して該コマンド処理を行うことを特徴とするデータ複写方法。
【請求項７】
請求項２記載のデータ複写方法において、
上位装置から複写元と複写先としての指定を解除する第３のコマンドを受け取った場合は、
前記第１の論理記憶装置の領域２と前記第２の論理記憶装置の領域２との入れ替えが終わった位置が、複写が終わった位置より後ろであり、かつ、複写が終わった位置が前記領域１ではないかを判定し、
前記判定を満たす場合は、前記第１の論理記憶装置と前記第２の論理記憶装置のデータを入れ替えることを特徴とするデータ複写方法。
【請求項８】
上位装置に接続され、第１の記憶装置内に領域１と領域２とに分割された第１の論理記憶装置及び第２の記憶装置内に領域１と領域２とに分割された第２の論理記憶装置を備え、前記上位装置からの指示で前記第1の論理記憶装置のデータを前記第２の論理記憶装置のデータに複写するディスクサブシステムのデータ複写方法であって、
複写元と複写先とを指定する第１のコマンドに基づいて前記第１の論理記憶装置のデータの複写先として前記第２の論理記憶装置を指定し、
該第１の論理記憶装置の領域２と該第２の論理記憶装置の領域２とを入れ替え、
データの複写の作成を指示する第２のコマンドに基づいて前記第１の記憶装置内のデータを前記第２の記憶装置内に複写し、
前記第１のコマンドは、前記第１の論理記憶装置と前記第２の論理記憶装置とで複製作成のためのペアを組むペア作成コマンドであって、該第１の論理記憶装置が正論理記憶装置、該第２の論理記憶装置が副論理記憶装置となり、
前記第２のコマンドは、該第２のコマンドを受け取った時点での前記第１の論理記憶装置のデータを前記第２の論理記憶装置に複写する複製作成コマンドであり、
前記第１の論理記憶装置の領域２と前記第２の論理記憶装置の領域２とを入れ替えた後、前記第２のコマンドを受け取る前に、前記第１の記憶装置内のデータを前記第２の記憶装置内に複写し、
複写中の論理記憶装置に対してライト又はリードコマンド処理を行なう場合は、該コマンド処理の対象位置が、前記第１の論理記憶装置の領域２と前記第２の論理記憶装置の領域２との入れ替えが終わった位置であるかどうか判定し、入れ替えが終わっていない場合は、前記第１の論理記憶装置の領域１の属する前記記憶装置に対して該コマンド処理を行い、入れ替えが終わっている場合は、前記第１の論理記憶装置に対して該コマンド処理を行い、
前記第１のコマンドにより複製作成のためのペアを組んだときには、該ペアの状態を管理し、また前記第２のコマンドによりデータの複製作成を行う場合には、該データの複製状態を管理し、前記ペアの状態及び前記データの複製状態に応じて所要のコマンド処理を行う、
ことを特徴とするデータ複写方法。
【手続補正２】
【補正対象書類名】明細書
【補正対象項目名】０００１
【補正方法】変更
【補正の内容】
【０００１】
【発明の属する技術分野】
本発明は、複数の論理記憶装置から構成されるストレージシステムにおいて、
同一制御装置内での論理記憶装置のペア及び複製作成に関し、特に、ディスクサブシステムのデータ複写方法に関する。
【手続補正３】
【補正対象書類名】明細書
【補正対象項目名】００１０
【補正方法】変更
【補正の内容】
【００１０】
【発明の実施の形態】
図１に本実施例のシステム構成を示す。記憶制御装置１０２は、ホストコンピュータ１０１からのデータ及び記憶装置Ａ １０５、記憶装置Ｂ １０６からのデータを一時的に保存するバッファ手段としてのメモリ１０３と、ホストコンピュータ及び記憶装置Ａ １０５、記憶装置Ｂ １０６とのデータ転送を制御するプロセッサ１０４と、ホストコンピュータ１０１とプロセッサ１０４を接続する転送路１０７と、メモリ１０３とプロセッサ１０４を接続する転送路１０８と、記憶装置１ １０５とプロセッサ１０４を接続する転送路１０９と、記憶装置１ １０６とプロセッサ１０４を接続する転送路１１０から構成される。
メモリ１０３は、バッファ手段としての機能を果たす他に、記憶制御装置１０２の制御情報を記録する機能を果たす。
【手続補正４】
【補正対象書類名】明細書
【補正対象項目名】００２１
【補正方法】変更
【補正の内容】
【００２１】
図１２に、ライトコマンド処理を示す。ステップ１２０１で表１００１の正論理記憶装置１００４の欄を調べて、ペアがあるかどうかを判定する。ペアがなければ、ステップ１２０６によってペアなし状態のライトコマンド処理を行なう。ステップ１２０１で求めたペア番号は、これ以降のライトコマンド処理でも使用する。ステップ１２０２でペア状態がペアあり複製未状態８０２なのかを判定し、ペアあり複製未状態８０２であれば、ステップ１２０７によってペアあり複製未状態ライトコマンド処理を行なう。ステップ１２０３でペア状態がペアあり複製中状態８０３なのかを判定し、ペアあり複製中状態８０３であれば、ステップ１２０８によってペアあり複製中状態ライトコマンド処理を行なう。ステップ１２０４でペア状態がペアあり複製あり状態８０４なのかを判定し、ペアあり複製あり状態８０４であれば、ステップ１２０９によってペアあり複製あり状態コマンド処理を行なう。ステップ１２０５でペア状態がペア削除中状態８０５なのかを判定し、ペア削除中状態８０５であれば、ステップ１２１０によってペア削除中ライトコマンド処理を行なう。